(57)【特許請求の範囲】
【請求項１】
入力された画像データに画像処理を施す画像処理装置において、
該画像処理装置は、前記画像データに対して画像処理を施す際に、該画像データに対して特定の画像であることを意味する特定画像情報を付加する特定画像情報付加手段と、
該特定画像情報付加手段で付加される前記特定画像情報の付加条件を設定する特定画像情報付加条件設定手段とを備え、
該特定画像情報付加条件設定手段は、画像データの画像処理機能、または画像データの入力機器、または前記画像処理装置の利用者、に関して予め定められた複数の条件設定項目のそれぞれに対して機密レベルの程度を設定するとともに、該機密レベルの程度に応じて前記特定画像情報の付加形態を予め定めておき、
前記特定画像情報付加手段は、前記画像処理すべき画像データに該当する条件設定項目を判定し、該当する条件設定項目に設定された機密レベルに対応する特定画像情報の付加形態に応じて前記画像データに対して異なる特定画像情報を付加することを特徴とする画像処理装置。
【請求項２】
請求項１に記載の画像処理装置において、前記機密レベルの程度に応じた前記付加形態は、特定画像情報が記録された記録材の画像を複写しようとしたときの該特定画像情報の検出精度の高低に従って設定可能としたことを特徴とする画像処理装置。
【請求項３】
請求項１または２に記載の画像処理装置において、
該画像処理装置は、入力した画像データに従って記録材上に画像を記録再現する画像記録装置であることを特徴とする画像処理装置。
【請求項４】
請求項１ないし３のいずれか１に記載の画像処理装置において、
前記条件設定項目として設定する前記利用者は、利用者が使用する端末装置のアドレス情報、もしくは利用者により入力された利用者認証情報から判別することを特徴とする画像処理装置。
【請求項５】
請求項１ないし３のいずれか１に記載の画像処理装置において、
前記条件設定項目として設定する画像処理機能は、外部から入力されたプリント用の画像データを所定のユーザ操作があるまで保持する親展プリント、及び入力した画像データを前記画像処理装置が備える記憶手段に記憶保持させるドキュメントファイリング、に関する機能であることを特徴とする画像処理装置。
【請求項６】
請求項１ないし５のいずれか１に記載の画像処理装置において、前記特定画像情報の付加形態として、前記特定画像情報の数を設定可能としたことを特徴とする画像処理装置。
【請求項７】
請求項１ないし５のいずれか１に記載の画像処理装置において、前記特定画像情報の付加形態として、前記特定画像情報の濃さを設定可能としたことを特徴とする画像処理装置。
【請求項８】
請求項１ないし５のいずれか１に記載の画像処理装置において、前記特定画像情報の付加形態として、記録材における特定画像情報の記録位置を設定可能としたことを特徴とする画像処理装置。
【請求項９】
請求項１ないし８のいずれか１に記載の画像処理装置において、該画像処理装置は、該画像処理装置の操作者を認識する操作者認識手段を備え、前記操作者認識手段により特定の操作者が認識されたときに、前記特定画像情報付加条件設定手段の設定変更を許可することを特徴とする画像処理装置。
【請求項１０】
請求項９に記載の画像処理装置において、該画像処理装置は、前記操作者認識手段により特定の操作者が認識されたときに、前記特定画像情報の付加処理の有効／無効の切り換えを可能とすることを特徴とする画像処理装置。
【発明の詳細な説明】
【技術分野】
【０００１】
本発明は、画像処理装置に関し、より詳細には、画像データに対してその複写を禁止またはけん制するための特定画像情報を付加可能とした画像処理装置に関する。
【背景技術】
【０００２】
印刷原稿の不正な複写を防止するために、原稿を印刷する際に地紋などの特定画像情報を付与する手法が用いられている。この特定画像情報は、複写けん制情報、あるいはアンチコピー情報などとも呼ばれる。
例えば、ＰＣ等で動くアプリケーションからプリンタに画像データを送り、プリンタにて画像データを印刷出力するときに、印刷画像の複写をけん制するための特定画像情報を上記画像データとともにプリンタに送ることにより、プリンタでは、印刷画像のどこかにその特定画像情報を埋め込んで印刷出力させるようにする。
そして、その特定画像情報が埋め込まれた印刷画像を、複写機を用いて複写しようとすると、その特定画像情報を検出した複写機が、複写印刷を出力しないようにしたり、あるいは、“コピー禁止”等の文字を印刷して出力する、等の動作を行うようにする。
【０００３】
上記のような特定画像情報は、ユーザが識別できない形状で印刷画像に埋め込まれている場合や、特定画像情報であることをユーザが識別できる形状で印刷画像に埋め込まれている場合がある。
しかしながら、いずれにしても、複写機がこれら特定画像情報が埋め込まれた画像情報を複写するときに、複写機は画像情報に特定画像情報が存在していることを検出し、その検出結果に従って、予め定められた処理、例えば、上述のように複写自体を停止したり、“コピー禁止”等の文字を入れて複写画像を出力する処理を行う。
【０００４】
上記のような複写を禁止するための技術に関し、例えば特許文献１には、特定のパターンを付加した原稿を簡単に作成できるようにした複写機が開示されている。ここでは複写機は、原稿画像に特定マークを付加して画像を再生するための特定マークの発生手段と、読み取った原稿画像における特定のマークの有無を検出するマーク有無検出手段と、そのマーク有無検出手段で原稿画像における特定のマークを検出した場合に、複写動作を通常とは異ならせるようにする制御手段を備えている。
【０００５】
また特許文献２には、特定マークの検出を容易にかつ精度よく行うことができる再生画像を得るようにした複写機が開示されている。ここでは、マーク付加手段により特定のマークを付加した画像を再生する機能を有する複写機において、マーク付加手段が径の異なる複数の同心円により構成された特定のマークを原稿画像に付加するようにしている。
【特許文献１】特開平７−３８７３７号公報
【特許文献２】特開平７−３６３２５号公報
【発明の開示】
【発明が解決しようとする課題】
【０００６】
上記のような、特定画像情報を印刷画像に埋め込んで印刷出力を行うシステムでは、印刷画像の重要度や機密性等に関係無く一律に特定画像情報が埋め込まれて印刷される。このようなシステムでは、印刷原稿に落書きがあったり、原稿の特定画像情報上にゴミや異物等が付着した場合に、複写機において確実に特定画像情報を検出できなくなる、という問題が生じる。一方、このような問題に対して、複写機が確実に検出できるように、印刷画像にランダムに数多くの特定画像情報を付与すると、その特定画像情報により画像の見栄えに影響を与えたり、印刷画像に違和感を与えてしまう、という問題も生じる。
【０００７】
すなわち、記録材に画像データを印刷する際に、得られた画像データの複写を防止したり複写行為そのものをけん制するために、上記のような特定画像情報を画像データに付加することが有効であるが、一方、複写けん制を行う必要のない一般的な印刷物に対しても区別なく上記のような特定画像情報を付与することは、画像の見栄え等に影響が出て好ましくない場合も生じる。
【０００８】
このような点に関し、上記特許文献１及び特許文献２のいずれにおいても、画像データに応じて複写けん制情報の付与条件を変更する技術思想については開示されていない。
【０００９】
本発明は、上述のごとき実情に鑑みてなされたもので、画像情報の複写を禁止またはけん制するために使用する特定画像情報を、画像処理を行う画像データの特性に応じて付与し、このときの特定画像情報の付加条件を任意に設定可能とした利便性の高い画像処理装置を提供することを目的とするものである。
【課題を解決するための手段】
【００１０】
上記課題を解決するために、本発明の第１の技術手段は、入力された画像データに画像処理を施す画像処理装置において、画像処理装置は、画像データに対して画像処理を施す際に、画像データに対して特定の画像であることを意味する特定画像情報を付加する特定画像情報付加手段と、特定画像情報付加手段で付加される特定画像情報の付加条件を設定する特定画像情報付加条件設定手段とを備え、特定画像情報付加条件設定手段は、画像データの画像処理機能、または画像データの入力機器、または画像処理装置の利用者、に関して予め定められた複数の条件設定項目のそれぞれに対して機密レベルの程度を設定するとともに、機密レベルの程度に応じて特定画像情報の付加形態を予め定めておき、特定画像情報付加手段は、画像処理すべき画像データに該当する条件設定項目を判定し、該当する条件設定項目に設定された機密レベルに対応する特定画像情報の付加形態に応じて画像データに対して異なる特定画像情報を付加することを特徴としたものである。
【００１２】
第２の技術手段は、第１の技術手段において、機密レベルの程度に応じた付加形態は、特定画像情報が記録された記録材の画像を複写しようとしたときの特定画像情報の検出精度の高低に従って設定可能としたことを特徴としたものである。
【００１３】
第３の技術手段は、第１または第２の技術手段において、画像処理装置は、入力した画像データに従って記録材上に画像を記録再現する画像記録装置であることを特徴としたものである。
【００１４】
第４の技術手段は、第１ないし第３のいずれか１の技術手段において、条件設定項目として設定する利用者は、利用者が使用する端末装置のアドレス情報、もしくは利用者により入力された利用者認証情報から判別することを特徴としたものである。
【００１５】
第５の技術手段は、第１ないし第３のいずれか１の技術手段において、条件設定項目として設定する画像処理機能は、外部から入力されたプリント用の画像データを所定のユーザ操作があるまで保持する親展プリント、及び入力した画像データを画像処理装置が備える記憶手段に記憶保持させるドキュメントファイリング、に関する機能であることを特徴としたものである。
【００１７】
第６の技術手段は、第１ないし第５のいずれか１の技術手段において、特定画像情報の付加形態として、特定画像情報の数を設定可能としたことを特徴としたものである。
【００１８】
第７の技術手段は、第１ないし第５のいずれか１の技術手段において、特定画像情報の付加形態として、特定画像情報の濃さを設定可能としたことを特徴としたものである。
【００１９】
第８の技術手段は、第１ないし第５のいずれか１の技術手段において、特定画像情報の付加形態として、記録材における特定画像情報の記録位置を設定可能としたことを特徴としたものである。
【００２１】
第９の技術手段は、第１ないし第８のいずれか１の技術手段において、画像処理装置が、画像処理装置の操作者を認識する操作者認識手段を備え、操作者認識手段により特定の操作者が認識されたときに、特定画像情報付加条件設定手段の設定変更を許可することを特徴としたものである。
【００２２】
第１０の技術手段は、第９の技術手段において、画像処理装置が、操作者認識手段により特定の操作者が認識されたときに、特定画像情報の付加処理の有効／無効の切り換えを可能とすることを特徴としたものである。
【発明の効果】
【００２３】
本発明によれば、画像情報の複写を禁止またはけん制するために使用する特定画像情報を、画像処理を行う画像データの特性に応じて付与し、このときの特定画像情報の付加条件を任意に設定可能とした利便性の高い画像処理装置を提供することができる。
【００２４】
すなわち本発明によれば、出力しようとする原稿の画像情報に対して特定画像情報を付加するときの付加条件を設定可能とすることにより、対象の画像データに応じた特定画像情報の付加形態を制御することができる。例えば、画像処理装置の利用者、画像データの出力装置、画像処理のモード等の条件項目に応じて特定画像情報の付加条件を設定することができ、またそれぞれの条件項目に対してそれぞれ機密レベルを設定することにより、その機密レベルに応じて特定画像情報の付加形態を変更させることができる。
これらの機能によって、対象の画像データに合わせて最適な特定画像情報を付加することができ、複写禁止機能を有効に発現させるとともに、形成画像の視認性をできるだけ阻害しないようにすることができる。
【発明を実施するための最良の形態】
【００２５】
図１は、本発明の画像処理装置が適用されるデジタル複合機の構成例を説明するためのブロック図である。図１のデジタル複合機は、複写機、プリンタ装置、ファクシミリ装置、スキャナ装置の機能を備えた複合機として構成されたものである。
【００２６】
デジタル複合機１０は、演算を行うＣＰＵ及び演算に伴う一時的な情報を記憶するＲＡＭ等からなる機器制御部１０４を備えている。機器制御部１０４には、デジタル複合機１０を制御するための制御プログラムを記憶しているＲＯＭが含まれる。
また機器制御部１０４には、デジタル複合機１０が行う処理を管理するための管理情報（各種の制御情報）を記憶するメモリである管理部１０７が接続されている。また機器制御部１０４には、記録用紙に記録された画像を読み取って画像データを生成する画像読み取り部１０１が接続される。この画像読み取り部１０１には、原稿画像を画像データとして取り込むためのＣＣＤ１０１ａと、原稿の有無を検知する原稿検知センサ１０１ｂとが設けられる。
【００２７】
また機器制御部１０４には、記録用紙上に画像データを形成する画像形成部として機能する画像形成部１０３が接続される。この画像形成部１０３には、画像データを一時的に記憶するメモリ１０３ａと、メモリ１０３ａが記憶した画像データから画像を形成して記録用紙に記録する印字部（ＬＳＵ）１０３ｂと、印字部１０３ｂで画像形成するための給紙用のトレイ１０３ｃ，１０３ｄとが設けられる。
そしてデジタル複合機１０は、画像読み取り部１０１が生成した画像データをメモリ１０３ａに一旦記憶させた後、印字部１０３ｂで画像を形成することができる。このようにして、デジタル複合機１０は複写機として機能する。
【００２８】
また図１において、機器制御部１０４には、ファクシミリ通信を行うＦＡＸモデム１０８が接続されており、ＦＡＸモデム１０８は公衆回線網Ｎ３に接続されている。デジタル複合機１０は、画像読み取り部１０１が生成した画像データを、ＦＡＸモデム１０８に接続された公衆回線網Ｎ３を介して他のファクシミリ装置１１４へファクシミリ通信にて送信することができる。またデジタル複合機１０は、公衆回線網Ｎ３を介して他のファクシミリ装置１１４から送信された画像データをＦＡＸモデム１０８で受信し、受信した画像データから画像形成部１０３で画像を形成することができる。このようにして、デジタル複合機１０はファクシミリ装置として機能する。
【００２９】
また機器制御部１０４には、デジタル複合機１０が外部と情報を送受信するための通信部（送受信手段）１０５が接続されている。通信部１０５は、社内ＬＡＮ等の通信ネットワークＮ１に接続可能であり、通信ネットワークＮ１には１または複数のパーソナルコンピュータ（ＰＣ）１１１が接続可能である。デジタル複合機１０が単独で動作している通常の状態では、通信部１０５は通信ネットワークＮ１に接続されており、通信ネットワークＮ１を介してＰＣ１１１との間で情報を交換する。
【００３０】
デジタル複合機１０は、画像読み取り部１０１が生成した画像データを通信部１０５からＰＣ１１１へ送信することができる。このようにして、デジタル複合機１０はスキャナ装置として機能する。またデジタル複合機１０は、ＰＣ１１１から送信された画像データを通信部１０５で受信し、受信した画像データから画像形成部１０３で画像を形成することができる。このようにして、デジタル複合機１０はプリンタ装置として機能する。
【００３１】
通信ネットワークＮ１は、更にインターネット等の広域通信ネットワークＮ２に接続されている。通信部１０５は、電子メールに画像データを添付して送信するなどの方法により、広域通信ネットワークＮ２に接続されたインターネットファクシミリ装置１１２や外部ＰＣ１１３との間で、通信ネットワークＮ１及び広域通信ネットワークＮ２を介して画像データを受信することができる。このようにして、デジタル複合機１０はインターネットファクシミリ装置として機能する。
【００３２】
また機器制御部１０４には、使用者からの操作を受け付ける操作部１０２が接続されている。操作部１０２は、使用者の操作により制御命令などの情報が入力されるタッチパネル又はテンキー等の入力部１０２ａと、操作のために必要な情報を表示する液晶パネル等の表示部１０２ｂとからなっている。操作部１０２には、本画像形成装置の利用者や操作者を認証するための認証コードが入力される。また認証コードは、ＦＡＸモデム１０８や通信部１０５を介して外部機器から入力する場合もある。これら認証コードによる認証処理の具体例については後述する。
【００３３】
機器制御部１０４には、ハードディスク（ＨＤ）１０６が接続されている。ハードディスク１０６は、画像読み取り部１０１が生成した画像データ等の画像処理に係る画像データを記憶する。また機器制御部１０４には消去手段１０９が接続される。消去手段１０９は、機器制御部１０４による制御に従って、ハードディスク１０６に記録保持されているデータを消去する。
【００３４】
さらに機器制御部１０４には、本発明に関わる特定画像情報を付加する処理を実現する画像処理部１１０が接続される。特定画像情報は、上記のように複写を禁止したり複写禁止であることをユーザに認知させてけん制を行うために使用されるものである。
この画像処理部１１０は、特定画像情報を画像データに付加するための特定画像情報付加手段１１０ｂを有している。特定画像情報付加手段１１０ｂは、画像データに付加すべき特定画像情報を予め保持しておき（もしくは他のアクセス可能なメモリに保持させておき）、機器制御部１０４による特定画像情報の付加に関する制御に従って特定画像情報を画像データに付加し、メモリ１０３ａに保持させる。画像処理部１１０で処理された画像データは、印字部１０３ｂで最終的に出力される形態の印刷データとなる。
【００３５】
上記のような構成を有する本実施形態の画像形成装置は、画像読み取り部１０１で読み取った画像データや、ＦＡＸモデム１０８や通信部１０５を介して外部から入力した画像データを印字部１０３ｂで画像形成する際に、予め定められた特定画像情報付加条件に従って、その付加条件に該当する画像データに対して付加条件に応じて定められた形態で特定画像情報を付加する。特定画像情報の付加条件は例えば画像処理部１１０のメモリもしくは画像処理部１１０がアクセス可能なメモリに設定保持させておく。すなわちここでは、本発明の特定画像情報付加条件設定手段の機能は、画像処理部１１０によって実現される。これら特定画像情報の付加条件の設定と、その付加条件に応じた特定画像情報の付加形式の設定例は後述する。
【００３６】
また画像処理部１１０は、画像読み取り部１０１で読み取られてメモリ１０３ａに保存された画像データに特定画像情報が含まれるかどうかを検出する付加情報検出手段１１０ａを有している。付加情報検出手段１１０ａの検出結果、画像データに特定画像情報が含まれていれば、機器制御部１０４は、その画像データの複写を禁止する（画像形成部１０３における画像形成を無効にする）制御を行う。
【００３７】
図２は、本発明の画像処理装置を適用可能な画像形成装置の構成例を説明するための図である。本例では、特定画像情報が記録された記録材をスキャナ装置で読み取るときに、特定画像情報が画像データに含まれているかどうかを判定する判定部１３２がスキャナ装置１３０に備えられている。
【００３８】
本例において、スキャナ装置１３０は、記録紙等に記録された画像を読み取る画像読み取り部１３１と、画像読み取り部１３１で読み取られた画像データに特定画像情報が含まれるかどうかを判定する判定部１３２と、ユーザによる操作入力あるいは認証コード等の入力を受け付ける操作部１３３と、スキャナ装置１３０の各要素を制御するサブＣＰＵ１３４とを有している。
【００３９】
プリンタ１２０のプリンタボード１２１は、ＬＡＮ等のネットワークを介してＰＣ等の外部機器との間で通信を行う。画像処理部１２２は、プリンタボード１２１を介して外部機器から入力した画像データ、あるいはスキャナ装置１３０で読み取られた画像データに対して画像処理を施して、画像メモリ１２３に保持させる。ここでは画像処理部１２２は、入力された画像データを展開処理し、印刷実行データとして画像メモリに記憶保持させる。また画像処理部１２２では、特定画像情報付加手段１２５により付加された特定画像情報を画像データに付加して、印刷実行データを生成する。そして画像記録部１２４は、画像メモリ１２３に記録保持された印刷実行データを使用して、記録紙等に対する画像形成を行う。
【００４０】
特定画像管理部１２６は、画像データに付加する特定画像情報を管理する。ここでは、予め定められた形態の特定画像情報を記憶する記憶手段が設けられている。そして特定画像情報付加手段１２５は、画像記録部１２４で画像形成する画像データに対して、予め定められた特定画像情報付加条件に従って所定の形態で特定画像情報を付加するように、画像処理部１２２に指示する。また管理部１２７は、プリンタ１２０が行う処理を管理するための管理情報（各種の制御情報）を記憶するメモリである。またメイン制御部１２８が上記各要素の動作を制御している。
なお図２に示したプリンタ１２０は、スキャナ装置１３０を備えた複合機でもよく、また別体のスキャナ装置１３０との間でデータの転送が可能に相互接続されたものであってもよい。
【００４１】
上記のような構成を有するプリンタ１２０は、スキャナ装置１３０で読み取った画像データや、プリンタボード１２１を介して外部機器から入力した画像データを画像記録部１２４で画像形成する際に、予め定められた特定画像情報の付加条件に従って、その付加条件に該当する画像データに対して特定画像情報を付加する。画像データに付加する特定画像情報は、上記のように特定画像管理部１２６で管理され、特定画像情報付加手段１２５によって画像処理部１２２に送られて、画像処理部１２２にて対象画像データに付加される。
【００４２】
またスキャナ装置１３０の判定部が、画像読み取り部１３１で読み取った画像データに特定画像情報が含まれていると判定した場合、スキャナ装置１３０のサブＣＰＵ１３４は、プリンタ１２０のメイン制御部１２８にその判定結果を送信する。メイン制御部１２８は、送信された判定に従ってその画像データの複写を禁止する（画像記録部１２４における画像形成を禁止する）制御を行う。
【００４３】
図３は、本発明に適用可能な特定画像情報の一例を示す図で、図中、２０は特定画像情報である。特定画像情報２０は、例えば図３に示すような複数のドットが配置された図形として構成することができる。この特定画像情報２０を複写機が検出することにより、複写機では複写そのものを禁止したり、複写が禁止または制限されていることを使用者に警告する警告情報を画像情報に付加して複写画像を出力する。例えば警告情報としては、“コピー禁止”という文字を印刷したり、紙幣等の複写禁止画像に対して“みほん”という文字を印刷したりすることができる。
【００４４】
図４は、特定画像情報の記録紙への配置例を示す図である。ここでは、図３に示すような形状の特定画像情報２０を使用して、記録紙３０の周囲四辺の内側近傍にその特定画像情報２０を印刷出力する。そしてこのような特定画像情報２０が印刷された記録物を複写しようとするとき、複写機では、印刷された特定画像情報２０を認識して、複写禁止の処理を行う。なお上記特定画像情報２０の形状と配置はその一例にすぎず、これらは適宜定めることができる。
そして画像処理装置は、予め定めた特定画像情報付加条件に従って、所定の特定画像情報を所定の形態で画像データに付加する。このとき特定画像情報付加条件は、画像データの特性（付加条件項目）に応じて特定画像情報の付加形態を個別に設定できるようにしている。
【００４５】
図５は、画像処理装置における特定画像情報付加条件の設定時の処理例を説明するための図である。ここでは特定画像情報を画像データに付加するときの付加条件の設定権限は、例えば画像処理装置の管理者に対してのみ付与されるものとする。付加条件を画像処理装置に設定するに際し、まず画像処理装置は、管理者の認証を要求する（ステップＳ１）。この場合、例えば図１のデジタル複合機１０の操作部１０２に対して付加条件の設定要求が入力したときに、画像処理装置の機器制御部１０４では、管理者情報（管理者認証コード）の入力要求を表示部１０２ｂに表示する。
【００４６】
そしてその表示に対して管理者情報が入力されると（ステップＳ２）、画像処理装置ではその管理者情報の認証がＯＫかどうかを判定し（ステップＳ３）、認証がＮＧ（不可）であれば管理者情報を再要求し（ステップＳ６）、ステップＳ２に戻る。また上記ステップＳ３で認証がＯＫであれば、管理者の操作に基づく付加条件の設定を行う（ステップＳ４）。そして続くステップＳ５で、付加条件設定が終了したならば、付加条件の設定処理を終了する。
【００４７】
図６は、特定画像情報付加条件の設定例を説明するための図で、付加条件設定時に画像処理装置が表示する表示画面の一例を示すものである。図６に示す例では、特定画像情報の付加条件を設定するための項目として、“ＩＰアドレスＡ”，“ＩＰアドレスＢ”，“コピー”，“ＦＡＸ”，“プリンタ”，“機密プリント”，“ホールドプリント”，“ドキュメントファイリングのパスワード有”，及び“ドキュメントファイリングのパスワード無”が予め設定され、それぞれの項目に対して“レベル”の高低を設定できるようになっている。“レベル”は、基本的に画像データの機密レベルを指し、その機密レベルに応じて特定画像情報の形態を個々に設定できるようになっている。
【００４８】
上記項目において、“ＩＰアドレス”が２種類設定されているのは、例えばインターネットやイントラネットに接続されたコンピュータの使用者に応じて、機密レベルを２段階に設定できるようにしている。例えば、企業の管理職は“ＩＰアドレスＡ”でレベルを高く設定し、他の社員は“ＩＰアドレスＢ”を設定してレベルを中程度にする、というような設定が可能である。またこの他利用者により入力される利用者認証情報に応じてレベル設定を可能としてもよい。
【００４９】
また“コピー”，“ＦＡＸ”，及び“プリンタ”については、これらの機器またはユニット部を利用して画像データを入力した場合に、それぞれの機器またはユニットに応じてレベルを設定することができるようにしている。
【００５０】
また“機密プリント”及び“ホールドプリント”は、特定の機密性の高いプリント出力を行うときのレベルを設定するものである。例えば複写機等の印刷装置（プリンタ）においては、機密プリントあるいは親展プリントと呼ばれる機密性を考慮した印刷出力機能を備えたものがある。機密プリントとホールドプリントを総称して親展プリントと呼ばれることもある。
【００５１】
“機密プリント”では、例えばＰＣ等から画像データをプリンタに送ってプリントを行う際に、機密プリントである旨とそのプリントのパスワード等をＰＣからプリンタに転送してから、さらにプリントデータをプリンタに転送し、プリンタのメモリにこれらを蓄積しておく。そしてユーザは、ＰＣの表示画面にてそのパスワードを認識し、プリンタまで行ってそのパスワードを入力することにより、プリンタではプリント出力を開始する。ここでは、プリンタ側のメモリ環境等によっては、プリントデータをＰＣ側に保持しておき、プリンタにパスワードが入力された時点でＰＣからプリンタにプリントデータを転送してプリント出力させるようにする。
【００５２】
“機密プリント”は本来的に機密性が高いプリント出力を行うようにしたものであり、レベルは高く設定されているが、この場合も管理者は“機密プリント”のレベルを任意に設定可能である。
【００５３】
“ホールドプリント”は、上記の機密プリントのようなパスワードによる文書管理を行うことはないが機密性をそれなりに必要とする場合に適用される。ここでは、ＰＣ等から転送された画像データをそのままプリント出力することなくプリンタに蓄積しておき、ユーザがプリンタまで行って所望のプリントデータの出力指示を入力することにより、そのプリントデータがプリントされるようになっている。ここでは“ホールドプリント”に対してもレベル設定が可能である。
【００５４】
次に“ドキュメントファイリング”は、例えばプリンタのメモリ（ＨＤＤ等）に対して、画像読み取り部（スキャナ装置）で読み取った画像データや、ＰＣ等の外部機器から送信された画像データを蓄積しておく機能で、蓄積した画像データは、プリンタの画像形成部における画像形成のみならず、操作部に対する操作入力に従って指定された外部機器に対して蓄積画像データを送信したり、あるいはＰＣ等の外部機器からの送信要求に従って蓄積画像データを送信したりすることが可能である。
【００５５】
そしてここでは、上記ドキュメントファイリング機能において、パスワードを設定した機密性の高いファイリング機能と、パスワードのないファイリング機能との両方を設定することができ、それぞれに対してレベルを設定することができる。
【００５６】
図７は、図６で設定した特定画像情報付加条件の設定値に対して、画像データに付加する特定画像情報の付加形態を定めるテーブルの一例を示す図である。図７に示すように、付加条件のレベルに応じて、特定画像情報の画像データへの付加形態が設定されている。
【００５７】
ここで指定されるレベルは、上記の図６の付加条件の設定項目に対応して定められるレベルを指し、レベルが高い場合と低い場合に分類されている。例えばレベルが高い場合には、特定画像情報を５つ付加し、その特定画像情報の付加位置は画像データの中央（記録材に記録したときにその中央）とし、さらに特定画像情報を濃くプリントするように設定されている。一方、レベルが低い場合には、特定画像情報を付加する数は一つであり、その付加位置は画像データの端部（記録材に記録したときにその端部）とし、さらには特定画像情報を薄くプリントするように設定されている。
【００５８】
この場合、特定画像情報の付加形態は、特定画像情報が検出されたときの検出精度の高低に従って設定されている。例えば、画像データの機密レベルが高い場合には、特定画像情報を付加した記録材を複写するときに、複写機では特定画像情報を確実に検出する必要がある。従って、機密レベルが高い場合には、特定画像情報の数を多くし、また記録紙の端部ではなく中央部に特定画像情報が印刷されるようにし、かつ特定画像情報を濃く印刷するように設定する。
【００５９】
上記のように、特定画像情報を付加する条件設定項目と、その条件設定項目ごとに機密レベルを設定することができ、実際に画像データを画像形成する際に、予め定めた特定画像情報の付加形態に従って画像データのレベルに応じて特定画像情報を付加できるようにする。
【００６０】
また特定画像情報を付加する条件は、図６の例に限定されることなく適宜条件項目の設定が可能であり、またレベルに応じた特定画像情報の付加形態の設定も、図７のようにレベルが高い場合と低い場合の２段階だけでなく、さらに多段階で設定することができる。
【００６１】
また、特定画像情報の付加条件として、条件設定項目に対するレベル設定を行うことなく、個々の条件設定項目ごとに特定画像情報の付加形態を一意に定めるようにしてもよい。
【００６２】
さらに画像処理装置は、認証コードによって管理者等の特定の操作者が認識されたときに、特定画像情報の付加処理の有効／無効の切り換えを許可するようにしてもよい。すなわち、管理者権限を有する操作者が、上記のような付加条件従う特定画像情報の付加機能を任意にＯＮ／ＯＦＦできるように構成してもよい。
【００６３】
図８は、機密プリント及びホールドプリント機能における画像データの保存処理の一例を説明するためのフローチャートで、図９は、機密プリント及びホールドプリント機能における画像データの出力処理の一例を説明するための図である。
図８において、プリンタとして機能する本発明に係る画像処理装置に対して、機密プリントまたはホールドプリント用の画像データが入力（転送）されると（ステップＳ１１）、画像処理装置はその画像データを受信し（ステップＳ１２）、ＨＤＤ等の所定の記憶手段に対してその画像データを保存する（ステップＳ１３）。
【００６４】
図９において、保存した画像データをプリントする場合、まずホールドデータ（画像処理装置に保存した画像データ）の一覧を表示させる（ステップＳ２１）。ホールドデータの一覧の表示はユーザ操作に応じて行ってもよく、またプリント用の画像データが画像処理装置に保存されている場合には、常に一覧を表示できるようにしてもよい。
【００６５】
そしてホールドデータの一覧のなかから、画像形成を行う出力データを特定する（ステップＳ２２）。出力データは、ホールドデータの一覧表示に対するユーザの選択操作に従って特定することができる。次いでプリントの利用者認証が必要かどうかを判別する（ステップＳ２３）。プリント利用者の認証が必要なプリントは、上記の機密プリントであり、認証を必要としないプリントは上記のホールドプリントである。
【００６６】
上記ステップＳ２３で利用者認証を必要としないプリントであれば、特定された出力データをそのまま出力し（ステップＳ３０）、処理を終了する。また上記ステップＳ２３で利用者認証を必要とするプリントであれば、利用者情報を要求する（ステップＳ２４）。この場合、画像処理装置の表示手段（例えば図１の表示部１０２ｂ）に、利用者情報の入力を要求する表示を行う。
【００６７】
利用者は、画像処理装置に表示された利用者情報の入力要求に従って利用者情報（利用者認証コード）を入力する。ここでは画像処理装置は、利用者情報が入力されたかどうかを判別し（ステップＳ２５）、利用者情報が入力されたならば、その入力された利用者情報の認証を行う（ステップＳ２６）。そして認証がＯＫかどうかを判定し（ステップＳ２７）、認証がＯＫでなければ利用者情報の入力を再要求し（ステップＳ３１）、ステップＳ２５に戻って利用者情報の入力を待つ。
【００６８】
上記ステップＳ２７で利用者認証がＯＫであれば、特定画像情報を選定し（ステップＳ２８）、選定した特定画像情報を画像データに付加して（ステップＳ２９）、データ出力を行う（ステップＳ３０）。
【００６９】
図１０は、画像処理装置に用意されている特定画像情報を選定するときの処理例を説明するためのフローチャートで、図９のステップＳ２８の処理例を示すものである。まず、画像処理装置はデータ関連情報を入手する（ステップＳ４１）。ここでは、データ関連情報は、画像処理装置に保持されている特定画像情報から画像データに付加すべき特定画像情報を選定するために用いられる関連情報であって、例えば図５に示すレベル判定結果に従って特定のデータ関連情報が指定される。そして上記入手したデータ関連情報から、特定画像情報を選定する（ステップＳ４２）。選定した特定画像情報は、画像データに付加される。
【図面の簡単な説明】
【００７０】
【図１】本発明の画像処理装置が適用されるデジタル複合機の構成例を説明するためのブロック図である。
【図２】本発明の画像処理装置を適用可能な画像形成装置の構成例を説明するための図である。
【図３】本発明に適用可能な特定画像情報の一例を示す図である。
【図４】特定画像情報の記録紙への配置例を示す図である。
【図５】画像処理装置における特定画像情報付加条件の設定時の処理例を説明するための図である。
【図６】特定画像情報付加条件の設定例を説明するための図である。
【図７】図６で設定した特定画像情報付加条件の設定値に対して、画像データに付加する特定画像情報の付加形態を定めるテーブルの一例を示す図である。
【図８】機密プリント及びホールドプリント機能における画像データの保存処理の一例を説明するためのフローチャートである。
【図９】機密プリント及びホールドプリント機能における画像データの出力処理の一例を説明するための図である。
【図１０】画像処理装置に用意されている特定画像情報を選定するときの処理例を説明するためのフローチャートである。
【符号の説明】
【００７１】
１０…デジタル複合機、２０…特定画像情報、３０…記録紙、１０１…画像読み取り部、１０１ａ…ＣＣＤ、１０１ｂ…原稿検知センサ、１０２…操作部、１０２ａ…入力部、１０２ｂ…表示部、１０３…画像形成部、１０３ａ…メモリ、１０３ｂ…印字部、１０３ｃ，１０３ｄ…トレイ、１０４…機器制御部、１０５…通信部、１０６…ハードディスク、１０７…管理部、１０８…ＦＡＸモデム、１０９…消去手段、１１０…画像処理部、１１０ａ…付加情報検出手段、１１０ｂ…特定画像情報付加手段、１１１…ＰＣ、１１２…インターネットファクシミリ装置、１１３…外部ＰＣ、１１４…ファクシミリ装置、１２０…プリンタ、１２１…プリンタボード、１２２…画像処理部、１２３…画像メモリ、１２４…画像記録部、１２５…特定画像情報付加手段、１２６…特定画像管理部、１２７…管理部、１２８…メイン制御部、１３０…スキャナ装置、１３１…画像読み取り部、１３２…判定部、１３３…操作部、１３４…サブＣＰＵ。
【図１】
0004675172.tif 000002
【図２】
0004675172.tif 000003
【図３】
0004675172.tif 000004
【図４】
0004675172.tif 000005
【図５】
0004675172.tif 000006
【図６】
0004675172.tif 000007
【図７】
0004675172.tif 000008
【図８】
0004675172.tif 000009
【図９】
0004675172.tif 000010
【図１０】
0004675172.tif 000011